(57)【要約】【課題】コストがかかる高耐電圧の部品又は保護部品を搭載する必要がない空気調和機を得ることを目的としている。【解決手段】圧縮機を制御する室外機制御部１０と、室内機制御基板１とを有する空気調和機１００において、室内機制御基板１は、交流電源を供給する第１電源供給線Ｎ１及び第２電源供給線Ｎ２と、通信線ＣＯＭに接続される第１接点７ａ、通信回路部に接続される第２接点７ｂ、第１電源供給線Ｎ１に接続される第３接点７ｃ、及び第１接点７ａと第２接点７ｂとの導通と、第１接点７ａと第３接点７ｃとの導通を切り替えるコイル７ｄを有する１ｃ接点リレー７と、１ｃ接点リレー７の第２接点７ｂ及び第１接点７ａと通信線ＣＯＭとを介して室外機制御部１０と通信する通信回路部８と、通信回路部８に通信情報を出力するとともに、コイル７ｄを制御するマイコン９と、を備えている。【選択図】図１
2011252646.tif 000002
【特許請求の範囲】
【請求項１】
圧縮機を制御する室外機制御部と、室内機制御基板とを有する空気調和機において、  
前記室内機制御基板は、
交流電源を供給する第１電源供給線及び第２電源供給線と、
通信線に接続される第１接点、通信回路部に接続される第２接点、前記第１電源供給線に接続される第３接点、及び前記第１接点と前記第２接点との導通と、前記第１接点と前記第３接点との導通を切り替えるコイルを有する１ｃ接点リレーと、
前記１ｃ接点リレーの前記第２接点及び前記第１接点と前記通信線とを介して前記室外機制御部と通信する前記通信回路部と、
前記通信回路部に通信情報を出力するとともに、前記コイルを制御するマイコンと、を備える
ことを特徴とする空気調和機。
【請求項２】
前記第１電源供給線及び前記第２電源供給線からの交流電源を直流電圧に変換する整流部と、
前記整流部から直流電圧が供給され、前記室内機制御基板の部品の動作電圧を供給する電源回路部と、を備える
ことを特徴とする請求項１記載の空気調和機。
【請求項３】
前記１ｃ接点リレーは、
室外機制御部の待機運転状態において、前記第１接点と前記第２接点とを導通するように制御され、室外機制御部の運転状態において、前記第１接点と前記第３接点とを導通するように制御される
ことを特徴とする請求項１又は２に記載の空気調和機。  
【請求項４】
前記マイコンは、前記コイルを制御するための第１ポート及び第２ポートを有し、
前記通信回路部と前記第２接点とを第１配線で接続し、
前記第１ポートと前記コイルとを第２配線で接続し、
前記第２ポートと前記コイルとを第３配線で接続し、
圧縮機の運転周波数が制御される低待機電力機種において、前記第１配線及び前記第２配線を導通とし、且つ、前記第３配線を非導通とする
ことを特徴とする請求項１〜３のいずれか一項に記載の空気調和機。
【請求項５】
前記マイコンは、前記コイルを制御するための第１ポート及び第２ポートを有し、
前記通信回路部と前記第２接点とを第１配線で接続し、
前記第１ポートと前記コイルとを第２配線で接続し、
前記第２ポートと前記コイルとを第３配線で接続し、
圧縮機の運転周波数が一定である一定速機種において、前記第３配線を導通とし、且つ、前記第１配線及び前記第２配線を非導通とする
ことを特徴とする請求項１〜３のいずれか一項に記載の空気調和機。
【請求項６】
前記マイコンは、前記コイルを制御するための第１ポート及び第２ポートを有し、
前記通信回路部と前記第２接点とを第１配線で接続し、
前記第１ポートと前記コイルとを第２配線で接続し、
前記第２ポートと前記コイルとを第３配線で接続し、
前記第１電源供給線に直列に第４配線を接続し、
前記通信線と前記第４配線の前記整流部と接続している一方とを第５配線で接続し、
前記第４配線の他方と前記通信線の前記第１接点と接続している側とを第６配線で接続し、
前記通信線の前記第１接点と接続している側と前記第５配線の前記通信線と接続している側とを第７配線で接続し、
圧縮機の運転周波数が制御される低待機電力機種において、前記第１配線、前記第２配線、前記第４配線及び前記第７配線を導通とし、且つ、前記第３配線、前記第５配線及び前記第６配線を非導通とする
ことを特徴とする請求項１〜３のいずれか一項に記載の空気調和機。
【請求項７】
前記マイコンは、前記コイルを制御するための第１ポート及び第２ポートを有し、
前記通信回路部と前記第２接点とを第１配線で接続し、
前記第１ポートと前記コイルとを第２配線で接続し、
前記第２ポートと前記コイルとを第３配線で接続し、
前記第１電源供給線に直列に第４配線を接続し、
前記通信線と前記第４配線の前記整流部と接続している一方とを第５配線で接続し、
前記第４配線の他方と前記通信線の前記第１接点と接続している側とを第６配線で接続し、
前記通信線の前記第１接点と接続している側と前記第５配線の前記通信線と接続している側とを第７配線で接続し、
圧縮機の運転周波数が一定である一定速機種において、前記第３配線、前記第５配線及び前記第６配線を導通とし、且つ、前記第１配線、前記第２配線、前記第４配線及び前記第７配線を非導通とする
ことを特徴とする請求項１〜３のいずれか一項に記載の空気調和機。
【発明の詳細な説明】
【技術分野】
【０００１】
本発明は、空気調和機に関するものである。
【背景技術】
【０００２】
空気調和機は、室内機と、室外機を備えており、室内機及び室外機に電源を供給する電源供給線と、室内機及び室外機の通信及び電源を室外機に給電することを兼ねた伝送線と、を有しているものが各種提案されている（例えば、特許文献１参照）。このような空気調和機において、待機運転状態のときは、室外機に給電しないようにし、動作を開始する運転状態のときは、室内機から室外機へと電源を供給するようにしている。
【０００３】
具体的には、このような空気調和機の室内機には、１ａ接点リレーが設けられており、待機運転状態においては、マイコンによって、リレーは開放状態になるように制御される。つまり、待機運転状態においては、電源供給線と伝送線が、非導通になるので、室外機には電源が給電されない。一方、運転状態においては、マイコンによって、リレーは導通するように制御される。つまり、運転状態においては、電源供給線と伝送線が、導通状態になるので、室外機に電源が給電されて、室外機が運転するようになっている。
【先行技術文献】
【特許文献】
【０００４】
【特許文献１】特開２００９−１４２２５号公報（５頁、６頁、第１図）
【発明の概要】
【発明が解決しようとする課題】
【０００５】
特許文献１に記載されているような従来の空気調和機においては、制御回路に１ａ接点リレーが用いられていた。そのため、待機状態から運転状態に移行して当該リレーが閉じると電源電圧が通信回路に印加されてしまい、通信回路部品の耐電圧を高くする、又は、保護部品を搭載しなければならず、コストアップを招いてしまっていた。
【０００６】
本発明は、以上のような課題を解決するためになされたもので、コストがかかる高耐電圧の部品又は保護部品を搭載する必要がない空気調和機を得ることを目的としている。
【課題を解決するための手段】
【０００７】
本発明に係る空気調和機は、圧縮機を制御する室外機制御部と、室内機制御基板とを有する空気調和機において、室内機制御基板は、交流電源を供給する第１電源供給線及び第２電源供給線と、通信線に接続される第１接点、通信回路部に接続される第２接点、第１電源供給線に接続される第３接点、及び第１接点と第２接点との導通と、第１接点と第３接点との導通を切り替えるコイルを有する１ｃ接点リレーと、１ｃ接点リレーの第２接点及び第１接点と通信線とを介して室外機制御部と通信する通信回路部と、通信回路部に通信情報を出力するとともに、コイルを制御するマイコンと、を備えている。
【発明の効果】
【０００８】
本発明に係る空気調和機によれば、１ｃ接点リレーを用いて電源電圧から通信回路を保護するので、コストがかかる高耐電圧の部品、又は、保護部品を搭載する必要がないのでコストアップが抑制される。
【図面の簡単な説明】
【０００９】
【図１】本発明の実施の形態１に係る空気調和機の室内機制御基板及び室外機制御基板の回路構成例を示すものである。
【図２】本発明の実施の形態１に係る空気調和機の室内機制御基板及び室外機制御基板の回路構成の別の例を示すものである。
【図３】本発明の実施の形態２に係る空気調和機の室内機制御基板及び室外機制御基板の回路構成例を示すものである。
【図４】本発明の実施の形態２に係る空気調和機の室内機制御基板及び室外機制御基板の回路構成の別の例を示すものである。
【発明を実施するための形態】
【００１０】
以下、本発明の実施の形態を図面に基づいて説明する。
実施の形態１．
図１は、本発明の実施の形態１に係る空気調和機１００の室内機制御基板１及び室外機制御基板２の回路構成例を示すものである。図１では、空気調和機１００が低待機電力機種に対応している場合を例に示している。なお、図１を含め、以下の図面では各構成部材の大きさの関係が実際のものとは異なる場合がある。
【００１１】
また、図１を含め以下の図面において、第１配線Ｊ１、第２配線Ｊ２、第３配線Ｊ３、第４配線Ｊ４、第５配線Ｊ５、第６配線Ｊ６、及び第７配線Ｊ７は、導通状態のときは実線、非導通状態のときは点線で表している。これらの各配線は、例えばジャンパー抵抗、ジャンパー線等の導通／非導通を制御可能なものであればよい。
【００１２】
低待機電力機種について簡単に説明する。低待機電力機種は、圧縮機（図示なし）の駆動周波数を制御することが可能となっているもので、さらに、運転時（運転状態時）にだけ、圧縮機に電力を供給するものである。低待機電力機種は、欧州国等の規制に対応しており、また、日本国内でも需要の多いインバーター制御であって待機運転時（待機運転状態時）の消費電力が低くなっているのが特徴である。  
【００１３】
図１に示すように、本実施の形態１に係る空気調和機１００は、少なくとも室内機制御基板１が設けられている室内機１００ａ及び少なくとも室外機制御基板２が設けられている室外機１００ｂを備えている。なお、室内機制御基板１は、設けられる位置は特に限定されないが、本実施の形態１においては、室内機１００ａ内に設けられているものとして説明する。
【００１４】
室内機制御基板１は、端子台３、ダイオードブリッジ４、電源回路部５、電解コンデンサー６、１ｃ接点リレー７、通信回路部８及びマイコン９と、が電気的に配線で接続されて構成されている。
【００１５】
また、室内機制御基板１には、電源と導通している第１電源供給線Ｎ１及び第２電源供給線Ｎ２と、室外機制御基板２と導通している通信線ＣＯＭと、が導かれている。
【００１６】
端子台３は、第１電源供給線Ｎ１、第２電源供給線Ｎ２及び通信線ＣＯＭを室内機制御基板１内に導く第１電源端子３ａ、第２電源端子３ｂ及び通信端子３ｃが設けられている。なお、端子台３を、例えば配線等で置き換えてもよい。
【００１７】
ダイオードブリッジ４には、第１ダイオード４ａ、第２ダイオード４ｂ、第３ダイオード４ｃ及び第４ダイオード４ｄが接続されて構成されている。具体的には、ダイオードブリッジ４は、第１ダイオード４ａのアノード側及び第２ダイオード４ｂのカソード側を直列に接続したものと、第３ダイオード４ｃのアノード側及び第４ダイオード４ｄのカソード側を直列に接続したものと、を並列に接続して構成されている。なお、第１ダイオード４ａのカソード側及び第３ダイオード４ｃのカソード側が接続され、第２ダイオード４ｂのアノード側及び第４ダイオード４ｄのアノード側が接続される。
【００１８】
第１ダイオード４ａのアノード側と第２ダイオード４ｂのカソード側は、第１電源供給線Ｎ１を介して、端子台３の第１電源端子３ａに接続されている。第３ダイオード４ｃのアノード側と第４ダイオード４ｄのカソード側は、第２電源供給線Ｎ２を介して、端子台３の第２電源端子３ｂに接続されている。なお、ダイオードブリッジ４の機能は、後述するものとする。
【００１９】
電源回路部５には、ダイオードブリッジ４及び電解コンデンサー６によって変換された直流電圧を受ける第１ポートＰＷ１及び第２ポートＰＷ２と、１ｃ接点リレー７、通信回路部８及びマイコン９に動作電圧を供給するそれぞれ第３ポートＰＷ３、第４ポートＰＷ４及び第５ポートＰＷ５が設けられている。第１ポートＰＷ１は、第１電源回路線Ｎ３によって、第１ダイオード４ａのカソード側及び第３ダイオード４ｃのカソード側に、接続されている。また、第２ポートＰＷ２は、第２電源回路線Ｎ４によって、第２ダイオード４ｂのアノード側及び第４ダイオード４ｄのアノード側に接続されている。なお、電源回路部５の機能は、後述するものとする。
【００２０】
電解コンデンサー６には、一方の電極が第１電源回路線Ｎ３に接続され、もう一方の電極が第２電源回路線Ｎ４に接続されている。なお、電解コンデンサー６の機能は、後述するものとする。
【００２１】
１ｃ接点リレー７（コイルの通電状態で２つの接点を切り替えることが可能）には、第１接点７ａ、第２接点７ｂ、第３接点７ｃ及びコイル７ｄが設けられている。第１接点７ａは、通信線ＣＯＭに接続されている。第２接点７ｂは、通信回路部８に接続されている。また、第３接点７ｃは、第１電源供給線Ｎ１に接続されている。なお、第２接点７ｂと通信回路部８との間には、第１配線Ｊ１が接続されている。
【００２２】
１ｃ接点リレー７は、マイコンからの制御信号によって、第１接点７ａと第２接点７ｂとを導通させるか、または、第１接点７ａと第３接点７ｃとを導通させるかを切り替えることが可能となっている。なお、コイル７ｄは、電源回路部５の第３ポートＰＷ３に、配線１３によって接続されており、動作電圧（動作電流）が供給されている。それにより、コイル７ｄは、電磁石となり、各接点を接続する金属が移動するようになっている。
【００２３】
通信回路部８には、後述するマイコン９と通信する第２ポートＳＥ２、室外機制御部１０と通信する第１ポートＳＥ１及び動作電圧を受ける第３ポートＳＥ３が設けられている。第２ポートＳＥ２には、配線１２によって、マイコン９に接続されている。また、第１ポートＳＥ１は、通信線ＣＯＭに接続されている。さらに、通信回路部８の第３ポートＳＥ３は、電源回路部５の第５ポートＰＷ５に、配線１５によって接続されており、動作電圧が供給されている。なお、通信回路部８の機能は、後述するものとする。
【００２４】
マイコン９には、通信回路部８と通信する第１ポートＰ１、１ｃ接点リレー７に制御信号を送信する第２ポートＰ２及び第３ポートＰ３、動作電圧を受ける第４ポートＰ４が設けられている。第１ポートＰ１は、配線１２によって、通信回路部８の第２ポートＳＥ２に接続されている。また、第２ポートＰ２及び第３ポートＰ３は、後述する第２配線Ｊ２及び第３配線Ｊ３によって、１ｃ接点リレー７に接続されている。さらに、マイコン９の第４ポートＰ４は、電源回路部５の第４ポートＰＷ４に配線１４によって接続されており、動作電圧が供給されている。なお、マイコン９の機能は、後述するものとする。
【００２５】
室外機制御基板２は、少なくとも室外機制御部１０が設けられている。室外機制御部１０は、通信線ＣＯＭを介して、室内機制御基板１内の通信回路部８と接続されている。
【００２６】
次に、上記した部品及び各種回路の機能について簡単に説明する。
ダイオードブリッジ４は、供給される交流電圧を直流電圧に変換し、後段の電源回路部５に当該直流電圧を供給する。電解コンデンサー６は、ダイオードブリッジ４によって交流電圧から直流電圧に変換された電圧をうけて充電され、より安定な直流電圧を電源回路部５に供給する。また、電源回路部５は、ダイオードブリッジ４から供給される直流電圧をうけて、少なくとも１ｃ接点リレー７、通信回路部８及びマイコン９に動作電圧を供給する。
【００２７】
通信回路部８は、室外機制御部１０と通信する。また、マイコン９は、１ｃ接点リレー７に制御信号を送り、１ｃ接点リレーの導通状態を切り替えることと、通信回路部８と通信して、通信回路部８を制御する。なお、マイコン９からの制御信号により、通信回路部８は制御される。
【００２８】
引き続き、図１に基づいて、室内機制御基板１の動作について説明する。図１に示すように、第１電源供給線Ｎ１及び第２電源供給線Ｎ２より供給される交流電圧は、端子台３に設けられているそれぞれ第１電源端子３ａ及び第２電源端子３ｂから室内機制御基板１内に伝達される。
【００２９】
まず、第１電源供給線Ｎ１から第２電源供給線Ｎ２に電圧が印加される場合について説明する。第１電源供給線Ｎ１から、第１ダイオード４ａ、第１ポートＰＷ１、第２ポートＰＷ２、第４ダイオード４ｄ、第２電源供給線Ｎ２という順序で電圧は伝達される。
【００３０】
第２電源供給線Ｎ２から第１電源供給線Ｎ１に電圧が印加される場合は、第２電源供給線Ｎ２から、第３ダイオード４ｃ、第１ポートＰＷ１、第２ポートＰＷ２、第２ダイオード４ｂ、第１電源供給線Ｎ１という順序で電圧は伝達される。なお、上記の過程で、電解コンデンサー６にも電圧が供給され、これにより、電解コンデンサー６は充電されてより安定した直流電圧を電源回路部５に供給することが可能となっている（ダイオードブリッジ４及び電解コンデンサー６で整流される）。
【００３１】
電源回路部５は、直流電圧が給電されると、１ｃ接点リレー７、通信回路部８及びマイコン９に駆動電圧を供給することが可能となっている。その他に、電源回路部５は、図１には図示されていないが、室内機制御基板１に搭載されており、所定の動作電圧を必要とする回路に電圧を供給することが可能であるものとする。
【００３２】
上記のように駆動電圧を供給されることで、１ｃ接点リレー７、通信回路部８及びマイコン９は、以下に述べるような動作をすることが可能となっている。まず、室外機制御部１０の待機運転状態の時は、マイコン９の第２ポートＰ２からの制御信号をうけて、電源回路部５の第３ポートＰＷ３から供給される電流（電圧）によってコイル７ｄが、１ｃ接点リレー７の第１接点７ａ及び第２接点７ｂを導通させる。これにより、通信回路部８は、通信線ＣＯＭにより第２接点７ｂと第１接点７ａとを介して、室外機制御部１０に接続される。
【００３３】
室外機制御部１０の運転状態に移行する時は、マイコン９の第２ポートＰ２からの制御信号をうけて、電源回路部５の第３ポートＰＷ３から供給される電流（電圧）によってコイル７ｄが、１ｃ接点リレー７の第１接点７ａ及び第３接点７ｃを導通させる。これにより、第１電源供給線Ｎ１は、第３接点７ｃと第１接点７ａとを介して、室外機制御部１０に接続される。
【００３４】
上記した待機状態から運転状態（または、運転状態から待機状態）に移行する際及び移行した状態において、第１電源供給線Ｎ１と通信回路部８は、常に非導通になっているので、通信回路部８に大きな電圧がかかってしまうようなことはない。
【００３５】
図２は、本発明の実施の形態１に係る空気調和機１００の室内機制御基板１及び室外機制御基板２の回路構成の別の例を示すものである。図２では、空気調和機１００の室内機制御基板１の接続を変更し、一定速機種に対応するようにしている。つまり空気調和機１００は、室内機制御基板１の接続を変更することで、一定速機種にも対応することが可能となっている。具体的には、第１配線Ｊ１及び第２配線Ｊ２を非導通とし、マイコン９の第３ポートＰ３及び１ｃ接点リレー７と、を第３配線Ｊ３で導通する。  
【００３６】
ここで、一定速機種について簡単に説明する。一定速機種は、圧縮機の駆動周波数を制御しないものである。つまり、一定速機種は、運転状態において圧縮機を常に一定の駆動周波数で動作させ、待機状態において圧縮機の動作を停止させるものである。
【００３７】
図１で示した低待機電力機種は、通信線ＣＯＭ及び室外機制御部１０が接続されているのに対し、一定速機種は、図２で示すように通信線ＣＯＭ及び大型リレー１６が接続されている。また、構成としては、一定速機種の圧縮機に対応させるため室外機１００ｂに室外機制御部１０ではなく、大型リレー１６を設けている。なお、一定速機種の場合であっても、室外機制御部１０で、運転／停止を制御するようにしてもよい。
【００３８】
大型リレー１６には、通信線ＣＯＭが接続されており、通信線ＣＯＭを介して電源が供給されるようになっている。大型リレー１６に電源が供給されると、圧縮機が運転し、一方、大型リレー１６に電源が供給されないと、圧縮機が停止するようになっている。
【００３９】
空気調和機１００の動作について説明する。まず、空気調和機１００が待機運転状態の時は、マイコン９の第３ポートＰ３からの制御信号をうけて、電源回路部５の第３ポートＰＷ３から供給される電流（電圧）によってコイル７ｄが、１ｃ接点リレー７の第１接点７ａ及び第２接点７ｂを導通させる。これにより、第１電源供給線Ｎ１及び通信線ＣＯＭが非導通になる。したがって、大型リレー１６には、電源が供給されないので、圧縮機は停止している。
【００４０】
次に、空気調和機１００が運転状態に移行する時は、マイコン９の第３ポートＰ３からの制御信号をうけて、電源回路部５の第３ポートＰＷ３から供給される電流（電圧）によってコイル７ｄが、１ｃ接点リレー７の第１接点７ａ及び第３接点７ｃを導通させる。これにより、第１電源供給線Ｎ１は、第３接点７ｃと第１接点７ａとを介して、大型リレー１６に接続される。したがって、大型リレー１６には、電源が供給されるので、圧縮機が動作する。
【００４１】
したがって、室内機制御基板１は、第１配線Ｊ１及び第２配線Ｊ２を非導通とし、第３配線Ｊ３をマイコン９の第３ポートＰ３及び１ｃ接点リレー７を接続することで、一定速機種にも対応することが可能となっている。
【００４２】
以上に述べたように、室内機制御基板１は１ｃ接点リレーを用いて、空気調和機１００が運転状態から待機運転状態（または、待機運転状態から運転状態）に移行するとき及び移行した後において、電源電圧が通信回路部８に印加されてしまうことを防いでいる。これにより、本実施の形態１に係る空気調和機１００は、電源電圧から通信回路部８を保護する高コストな高耐電圧の部品、又は、保護部品を搭載する必要がないので、コストアップが抑制される。また、第１配線Ｊ１、第２配線Ｊ２及び第３配線Ｊ３の導通／非導通を切り替えることで、空気調和機１００は、低待機電力機種、一定速機種に対応することが可能となっている。
【００４３】
実施の形態２．
図３は、本発明の実施の形態２に係る空気調和機１０１（少なくとも室内機１０１ａ及び室外機１０１ｂを備えている）の室内機制御基板２０及び室外機制御基板２１の回路構成例を示すものである。図３では、空気調和機１０１が低待機電力機種に対応している場合を例に示している。図４は、本発明の実施の形態２に係る空気調和機１０１の室内機制御基板２０及び室外機制御基板２１の回路構成の別の例を示すものである。なお、本実施の形態２では、実施の形態１と同一部分には同一符号とし、実施の形態１との相違点を中心に説明するものとする。
【００４４】
実施の形態１において、第１電源供給線Ｎ１、第２電源供給線Ｎ２及び通信線ＣＯＭは、室内機制御基板１内に、それぞれ第１電源端子３ａ、第２電源端子３ｂ及び通信端子３ｃから導びかれるものであった。一方、本実施の形態２において、第１電源供給線Ｎ１、第２電源供給線Ｎ２及び通信線ＣＯＭは、室内機制御基板２０内に導かれる際の接続が、低待機電力機種及び一定速機種とで、異なっている。
【００４５】
詳細に説明すると、低待機電力機種においては、第１電源供給線Ｎ１、第２電源供給線Ｎ２及び通信線ＣＯＭが、室内機制御基板２０内に、それぞれ第１電源端子３ａ、第２電源端子３ｂ及び通信端子３ｃから室内機制御基板２０内に導かれる。一方、一定速機種においては、第１電源供給線Ｎ１、第２電源供給線Ｎ２及び通信線ＣＯＭが、それぞれ通信端子３ｃ、第２電源端子３ｂ、第１電源端子３ａから室内機制御基板２０内に導かれる。
【００４６】
それに伴い、本実施の形態２では、第１配線Ｊ１、第２配線Ｊ２、第３配線Ｊ３に加えて、第４配線Ｊ４、第５配線Ｊ５、第６配線Ｊ６及び第７配線Ｊ７で、各部品が電気的に接続される。以下に、第４配線Ｊ４、第５配線Ｊ５、第６配線Ｊ６及び第７配線Ｊ７の接続位置について説明する。
【００４７】
図３に示すように、第１電源端子３ａ及びダイオードブリッジ４の間を第４配線Ｊ４で接続する。また、通信線ＣＯＭ及び第４配線Ｊ４のダイオードブリッジ４と接続している一方側と、を第５配線Ｊ５で接続する。また、第４配線Ｊ４の第１電源端子３ａと接続している側（第４配線Ｊ４の他方側）及び通信線ＣＯＭの第１接点７ａと接続している側と、を第６配線Ｊ６で接続する。さらに、通信線ＣＯＭの第１接点７ａと接続している側及び第５配線Ｊ５の通信端子３ｃと接続している側と、を第７配線Ｊ７で接続する。
【００４８】
図３に示すように低待機電力機種においては、第１配線Ｊ１、第２配線Ｊ２、第４配線Ｊ４及び第７配線Ｊ７を導通とする。以下、低待機電力機種の室内機制御基板２０の動作について説明する。
【００４９】
第１電源供給線Ｎ１及び第２電源供給線Ｎ２より供給される交流電圧は、端子台３に設けられているそれぞれ第１電源端子３ａ及び第２電源端子３ｂから室内機制御基板２０内に伝達される。
【００５０】
まず、第１電源供給線Ｎ１から第２電源供給線Ｎ２に電圧が印加される場合について説明する。第１電源供給線Ｎ１から、第１ダイオード４ａ、第１ポートＰＷ１、第２ポートＰＷ２、第４ダイオード４ｄ、第２電源供給線Ｎ２という順序で電圧は伝達される。
【００５１】
一方、第２電源供給線Ｎ２から第１電源供給線Ｎ１に電圧が印加される場合は、第２電源供給線Ｎ２から、第３ダイオード４ｃ、第１ポートＰＷ１、第２ポートＰＷ２、第２ダイオード４ｂ、第１電源供給線Ｎ１という順序で電圧は伝達される。なお、上記の過程で、電解コンデンサー６にも電圧が供給され、これにより、電解コンデンサー６は充電されてより安定した直流電圧を電源回路部５に供給することが可能となっている。
【００５２】
電源回路部５は、直流電圧が給電されると、１ｃ接点リレー７、通信回路部８及びマイコン９に駆動電圧を供給することが可能となっている。その他に、電源回路部５は、図１には図示されていないが、室内機制御基板２０に搭載されており、所定の動作電圧を必要とする回路に電圧を供給することが可能であるものとする。
【００５３】
上記のように駆動電圧を供給されることで、１ｃ接点リレー７、通信回路部８及びマイコン９は、以下に述べるような動作をする。まず、待機運転状態の時は、マイコン９の第２ポートＰ２からの制御信号をうけて、電源回路部５の第３ポートＰＷ３から供給される電圧によって、１ｃ接点リレー７の第１接点７ａと第２接点７ｂとを導通させる。これにより、通信回路部８は、第２接点７ｂと第１接点７ａとを介して、室外機制御部１０に接続される。
【００５４】
運転状態の時は、マイコン９の第２ポートＰ２からの制御信号をうけて、電源回路部５の第３ポートＰＷ３から供給される電圧によってコイル７ｄが、１ｃ接点リレー７の第１接点７ａと第３接点７ｃとを導通させる。これにより、第１電源供給線Ｎ１は、第３接点７ｃと第１接点７ａとを介して、室外機制御部１０に接続される。
【００５５】
上記した待機状態から運転状態（または、運転状態から待機状態）に移行する際及び移行した状態において、第１電源供給線Ｎ１と通信回路部８は、常に非導通になっているので、通信回路部８に大きな電圧がかかってしまうようなことはない。
【００５６】
図４に示すように一定速機種においては、第３配線Ｊ３、第５配線Ｊ５及び第６配線Ｊ６を導通とする。図３で示した低待機電力機種は、通信線ＣＯＭ及び室外機制御部１０が接続されている。それに対し、一定速機種は、図４で示すように通信線ＣＯＭ（第６配線Ｊ６を含む）及び大型リレー１６が接続されている。また、構成としては、一定速機種の圧縮機に対応させるため室外機１０１ｂに室外機制御部１０ではなく、大型リレー１６を設けている。なお、一定速機種の場合であっても、室外機制御部１０で、運転／停止を制御するようにしてもよい。以下、一定速機種の室内機制御基板２０の動作について説明する。
【００５７】
上記のように駆動電圧を供給されることで、１ｃ接点リレー７、通信回路部８及びマイコン９は、以下に述べるような動作をする。まず、待機運転状態の時は、マイコン９の第３ポートＰ３からの制御信号をうけて、電源回路部５の第３ポートＰＷ３から供給される電圧によって、１ｃ接点リレー７の第１接点７ａと第２接点７ｂとを導通させる。これにより、第１電源供給線Ｎ１及び通信線ＣＯＭが非導通になる。したがって、大型リレー１６には、電源が供給されないので、圧縮機は停止している。
【００５８】
運転状態の時は、マイコン９の第３ポートＰ３からの制御信号をうけて、電源回路部５の第３ポートＰＷ３から供給される電圧によってコイル７ｄが、１ｃ接点リレー７の第１接点７ａと第３接点７ｃとを導通させる。これにより、第１電源供給線Ｎ１は、第３接点７ｃと第１接点７ａとを介して、大型リレー１６に接続される。
【００５９】
したがって、室内機制御基板２０は、第１配線Ｊ１、第２配線Ｊ２、第４配線Ｊ４及び第７配線Ｊ７を非導通することで、一定速機種にも対応することが可能となっている。
【００６０】
以上に述べたように、室内機制御基板２０は１ｃ接点リレーを用いて、空気調和機１０１が運転状態から待機運転状態（または、待機運転状態から運転状態）に移行するとき及び移行した後において、電源電圧が通信回路部８に印加されてしまうことを防いでいる。これにより、本実施の形態２に係る空気調和機１０１は、電源電圧から通信回路部８を保護する高コストな高耐電圧の部品、又は、保護部品を搭載する必要がないので、コストアップが抑制される。また、第１配線Ｊ１、第２配線Ｊ２、第３配線Ｊ３、第４配線Ｊ４、第５配線Ｊ５、第６配線Ｊ６及び第７配線Ｊ７の導通／非導通を切り替えることで、空気調和機１０１は、低待機電力機種、一定速機種に対応することが可能となっている。
【００６１】
第１電源供給線Ｎ１、第２電源供給線Ｎ２及び通信線ＣＯＭと、端子台３の各端子と、を接続するパターンはその他にも考えられる。実施の形態１を第１パターン、実施の形態２を第２パターンとすると、その他に４つのパターンが考えられる。
【００６２】
なお下記、室内機制御基板３０（図示省略）、室内機制御基板４０（図示省略）、室内機制御基板５０（図示省略）及び室内機制御基板６０（図示省略）は、両機種（低待機電力機種、一定速機種）に、適宜配線（ジャンパー抵抗、ジャンパー線等の導通／非導通を制御可能なもの）接続を変更することで、どちらの機種にも対応する室内機制御基板２０に相当するものである。
【００６３】
第３パターンは、低待機電力機種においては、第１電源供給線Ｎ１、第２電源供給線Ｎ２及び通信線ＣＯＭが、室内機制御基板３０内に、それぞれ第１電源端子３ａ、第２電源端子３ｂ及び通信端子３ｃから導かれ、一方、一定速機種においては、第１電源供給線Ｎ１、通信線ＣＯＭ及び第２電源供給線Ｎ２が、室内機制御基板３０内に、それぞれ通信端子３ｃ、第２電源端子３ｂ、第１電源端子３ａから導かれるというものである。  
【００６４】
第４パターンは、低待機電力機種においては、第１電源供給線Ｎ１、第２電源供給線Ｎ２及び通信線ＣＯＭが、室内機制御基板４０内に、それぞれ第１電源端子３ａ、第２電源端子３ｂ及び通信端子３ｃから導かれ、一方、一定速機種においては、通信線ＣＯＭ、第２電源供給線Ｎ２及び第１電源供給線Ｎ１が、室内機制御基板４０内に、それぞれ通信端子３ｃ、第２電源端子３ｂ、第１電源端子３ａから導かれるというものである。  
【００６５】
第５パターンは、低待機電力機種においては、第１電源供給線Ｎ１、第２電源供給線Ｎ２及び通信線ＣＯＭが、室内機制御基板５０内に、それぞれ第１電源端子３ａ、第２電源端子３ｂ及び通信端子３ｃから導かれ、一方、一定速機種においては、第２電源供給線Ｎ２、第１電源供給線Ｎ１及び通信線ＣＯＭが、室内機制御基板５０内に、それぞれ通信端子３ｃ、第２電源端子３ｂ、第１電源端子３ａから導かれるというものである。  
【００６６】
第６パターンは、低待機電力機種においては、第１電源供給線Ｎ１、第２電源供給線Ｎ２及び通信線ＣＯＭが、室内機制御基板６０内に、それぞれ第１電源端子３ａ、第２電源端子３ｂ及び通信端子３ｃから導かれ、一方、一定速機種においては、第２電源供給線Ｎ２、通信線ＣＯＭ及び第１電源供給線Ｎ１が、室内機制御基板６０内に、それぞれ通信端子３ｃ、第２電源端子３ｂ、第１電源端子３ａから導かれるというものである。  
【００６７】
また、マイコン９の第２ポートＰ２及び第３ポートＰ３は、低待機電力機種及び一定速機種で使い分けるものとして説明したが、マイコン９に書き込まれているソフトウエアのプログラム又は製品仕様によって統一することも可能である。
【符号の説明】
【００６８】
１  室内機制御基板、２  室外機制御基板、Ｎ１  第１電源供給線、Ｎ２  第２電源供給線、Ｎ３  第１電源回路線、Ｎ４  第２電源回路線、ＣＯＭ  通信線、３  端子台、３ａ  第１電源端子、３ｂ  第２電源端子、３ｃ  通信端子、４  ダイオードブリッジ、４ａ  第１ダイオード、４ｂ  第２ダイオード、４ｃ  第３ダイオード、４ｄ  第４ダイオード、５  電源回路部、ＰＷ１  第１ポート、ＰＷ２  第２ポート、ＰＷ３  第３ポート、ＰＷ４  第４ポート、ＰＷ５  第５ポート、６  電解コンデンサー、７  １ｃ接点リレー、７ａ  第１接点、７ｂ  第２接点、７ｃ  第３接点、７ｄ  コイル、８  通信回路部、ＳＥ１  第１ポート、ＳＥ２  第２ポート、ＳＥ３  第３ポート、９  マイコン、Ｐ１  第１ポート、Ｐ２  第２ポート、Ｐ３  第３ポート、Ｐ４  第４ポート、１０  室外機制御部、１２  配線、１３  配線、１４  配線、１５  配線、１６  大型リレー、２０  室内機制御基板、２１  室外機制御基板、３０  室内機制御基板、４０  室内機制御基板、５０  室内機制御基板、６０  室内機制御基板、１００  空気調和機、１００ａ  室内機、１００ｂ  室外機、１０１  空気調和機、１０１ａ  室内機、１０１ｂ  室外機、Ｊ１  第１配線、Ｊ２  第２配線、Ｊ３  第３配線、Ｊ４  第４配線、Ｊ５  第５配線、Ｊ６  第６配線、Ｊ７  第７配線。
【図１】
2011252646.tif 000003
【図２】
2011252646.tif 000004
【図３】
2011252646.tif 000005
【図４】
2011252646.tif 000006